(57)【要約】　　　（修正有）【課題】障子と下枠との間に無用な隙間が生じることなく、しかも、障子下方を閉塞する閉塞材の縦動が円滑におこなわれる装置を提供する。【解決手段】サッシ枠Ａに障子Ｄを縦軸同動自在に組付けに開き障子付サッシにおいて、障子閉塞時に下框２より突出して障子下方を閉塞する閉塞材４に、障子吊元側から戸先側方向に漸次下向傾斜する少なくとも一対の傾斜長孔１１，１１を設ける。該傾斜長孔１１，１１のそれぞれに支軸１２を貫通させて前記閉塞材４を前記障子Ｄの下部に縦動可能に軸支する。そして、前孔閉塞材４と前記障子Ｄには前記傾斜長孔１１の傾斜角度と一致する角度にしてコイルスプリング１３を張設する。また、前記閉塞材４の前記吊元側の端縁が障子閉塞時に圧接する受圧縁１９Ａを前記サッシ枠Ａの下部に設ける。【選択図】　図１
2004137773.tif 000002
【特許請求の範囲】
【請求項１】
サッシ枠に障子を縦軸回動自在に組付けた開き障子付サッシにおいて、障子閉塞時にコイルスプリングの付勢に抗して下框より突出して障子下方を閉塞する閉塞材に、障子吊元側から戸先側方向に漸次下向傾斜する少なくとも一対の傾斜長孔を設け、該傾斜長孔のそれぞれに支軸を貫通させて前記閉塞材を前記障子の下部に縦動可能に軸支すると共に、前記閉塞材と前記障子間に前記閉塞材を上昇方向に付勢するコイルスプリングを張設する一方、前記閉塞材の前記吊元側の端縁が障子閉塞時に圧接する受圧縁を前記サッシ枠の下部に設けた、開き障子付サッシにおける障子閉塞時の下部自動閉塞装置。
【発明の詳細な説明】
【０００１】
【産業上の利用分野】
本発明は、開きサッシや折りたたみサッシのように障子を回動させて開閉を行うようにした開き障子付サッシにおける障子閉塞時の下部自動開閉装置に関するものである。
【０００２】
【従来の技術】
障子の下框に対して下枠の部片を室内外方向に重なり合うように配置した構造で成り、障子閉塞時に前記下框が前記下枠部片に見込み方向に重なり合い、障子下部（下稿框と下枠との間）に隙間が生じないようにしている、すなわち、障子閉塞時のサッシ下部は自動的に閉塞するようにしている（例えば、特許文献１参照）。
【０００３】
【特許文献１】
特開平７−２２９３７０号公報（図１）
【０００４】
【発明が解決しようとする課題】
前記従来側は、障子閉塞時に、下框と下枠の部片が屋内外方向（見込み方向）に重なり合う構造になっているため、下枠の部片を床面より少なくとも下方に納める（位置させる）ことになるから（納めないと、該部片が床面上より突出して歩行その他の妨げとなる）、床面と下枠との間に段差が生じ、例えば、当該開き障子サッシを部屋間（例えば、生活空間と風呂場との間）に配したとき、当該部屋間に段差が生じ、所謂バリアフリー上不都合がある。
本発明は斯様な常況を踏まえ、下枠と床面を同面上に配置でき、従来側と同様に、障子（の下框）と下枠との間に無用な隙間が生じることがなく、しかも、障子下方を閉塞する閉塞材の縦動が円滑に行われる自動閉塞装置を提供すべく創案したものである。
【０００５】
【課題を解決するための手段】
サッシ枠に障子を縦軸同動自在に組付けに開き障子付サッシにおいて、障子閉塞時にコイルスプリングの付勢に抗して下框より突出して障子下方を閉塞する閉塞材に、障子吊元側から戸先側方向に漸次下向傾斜する少なくとも一対の傾斜長孔を設け、該傾斜長孔のそれぞれに支軸を貫通させて前記閉塞材を前記障子の下部に縦動可能に軸支すると共に、前記閉塞材と前記障子間には前記閉塞材を上昇方向に付勢するコイルスプリングを張設する一方、前記閉塞材の前記吊元側の端縁が障子塞閉に圧接する受圧縁を前記サッシ枠の下部に設けた、開き障子付サッシにおける障子閉塞時の下部自動閉塞装置構成としたものである。
【０００６】
【発明の実施の形態】
図面は本発明に係る開き障子付サッシにおける障子閉塞時の下部自動閉塞装置の実施形態を示し、図１は部材の配置関係を示す片開きサッシの正面図、図２は障子を閉塞した状態の片開きサッシの横断面、図３は図２の一部拡大正面図、図４は図３の１Ａ−１Ａ線断面図、図５は図３の１Ｂ−１Ｂ線断面図、図６は障子を開放した状態の片開きサッシの横断面図、図７は図６の正面図、図８は図７の２Ａ−２Ａ線断面図、図９は部材の配置関係を示す折りたたみサッシの正面図、図１０は障子を閉塞した状態の折りたたみサッシの横断図面、図１１は障子を開放した状態の両開きサッシの横断図面、図１２は折りたたみサッシの召合わせ部の正面図である。
【０００７】
図１乃至図８は片開きサッシ（片開き戸）に本発明を適用した第一実施形態を、図９乃至図１２は２枚折りたたみサッシ（片開き折りたたみ戸）に本発明を適用した実施形態を示すが、本発明はその他両開きサッシのように縦軸回転する所謂開き障子を備えたものであれば、いずれにも適用できる。
【０００８】
また、各実施形態は、居室（脱衣側）と浴室（風呂場側）との境界部に本発明を適用したが、適用個所は自由に選択すれば良く、各実施形態における室内とは居室側を、室外とは浴室側をいう。
【第一実施形態】
第一実施形態の片開きサッシは、サッシ枠Ａに障子Ｄを縦軸回動自在に組付け、吊元側、すなわち、縦軸１を中心にした回動させて戸先側を前記サッシ枠Ａ（縦枠）と係離させることにより開閉操作が行われる。
【０００９】
障子Ｄは床面ｆより離開させた位置にある下框（障子框下部）２の、縦方向に配した室内端部片３に縦動自在に組付けた閉塞材４を備え、この閉塞材４が障子閉塞時にコイルスプリング１３の付勢に抗して降下して、障子Ｄ（下框２）下端と前記床面ｆと同面上に配置した下枠５の上端（床面）間の隙間ａを閉塞するようにしたものである。
【００１０】
前記閉塞材４は、金属製の主体枠４Ａと該主体枠４Ａに組付けた一対のシール材６，６´と一対の中間部材７，７とで構成し、シール材６，６´は、前記主体枠４Ａの見付け方向吊元側の一端又は戸先側の他の一端に嵌合して螺子８で止着した硬質合成樹脂の組付け部片６ｂ、６ｂ´と該組付け部片６ｂ、６ｂ´の先端（吊元側の先端又は戸先側の先端）面と下端面にかけて突設したシール主材６ａ、６´ａとで成り、シール主材６ａ、６´ａを、前記主体枠４Ａの下端面に設けた係止溝９に嵌着したシール材６”を介して互いに連続するように配して、障子閉塞時に前記サッシ枠Ａ下部に接触してシール機能を期待する。
【００１１】
閉塞材４を構成する前記中間部材７は、シール材６，６´の組付け部片６ｂ，６´ｂと同様に硬質合成樹脂で成り、主体枠４Ａの前記見付け方向の中間部に設けた一対の窓口１０，１０のそれぞれに該窓口１０を閉塞するように配して主体枠４Ａに重ね合わせて螺子８´で止着して主体枠４Ａに組付け、その中央部には、障子吊元側から戸先側方向に漸次下向傾斜する傾斜長孔１１を設けたものである。
【００１２】
傾斜長孔１１付の中間部材７を備えた閉塞材４は、障子Ｄの下框２の室内端部片３に突設した支軸１２を前記傾斜長孔１１に貫通させるようにして、障子Ｄの下框２の室内端部片３（下框２）に重ね合わせて縦動自在に組付けたもので、その縦動は、支軸１２に傾斜長孔１１が係合していることにより傾斜長孔１１の傾斜角度に沿うように規制され、閉塞材４と障子Ｄ（実施形態は下框２）間に張設したコイルスプリング１３の付勢によって障子開放時には上死点位置（傾斜長孔１１の　下縁１１ａが前記支軸１２にコイルスプリング１３の付勢により圧接する位置）まで上昇している。
【００１３】
コイルスプリング１３は、前記傾斜長孔１１のそれぞれに対応して配され、一端（下端）を閉塞材４の主体枠４Ａに設けた受止片１４に、他の一端（上端）を前記下框２に螺子８´´で止着した受止材１５の部片１５Ａにそれぞれ係止して、前記一端（下端）を障子戸先側に、他の一端（上端）を障子吊元側に位置させて傾斜状に配したもので、その傾斜角度は、前記傾斜長孔１１の傾斜角度と一致させてある。
【００１４】
傾斜長孔１１の傾斜角度とコイルスプリング１３の配置角度を同方向にして同角度にしてあるのは、外力の負荷、すなわち、後記するように閉塞材４の吊元側の端縁をブロック受圧縁１９Ａに接触（圧接）させたときの閉塞材４の円滑な降下を期待するためである。すなわち、コイルスプリング１３の引っ張り方向と傾斜長孔１１内の支軸１２の相対的な移動方向とが一致して、支軸１２の傾斜長孔１１内の相対的な移動（傾斜長孔１１の支軸１２に沿う移動）を円滑に行なわさせるためである。もっとも、この角度は厳密な意味での「同一」である必要はない。
【００１５】
なお、実施形態では前記の移動を円滑に行なうため、傾斜長孔１１の中心線の延長線上にコイルスプリング１３を配置してあるが、必ずしも延長線上に配置する必要のないことは勿論である。
【００１６】
因みに、コイルスプリング１３の一端を係止する前記受止片１４と、他の一端を係止する受止材部片１５Ａが、実施例のように、障子Ｄ見込み方向（屋内外方向）のほぼ同位置に配することにより閉塞材４の縦動は尚一層円滑になる。
【００１７】
また、サッシ枠Ａの下枠５は、室内側床面ｆと同面上に位置し、障子閉塞時における前記シール材６´´位置には凹溝１７を設けて、これに弾性片（実施形態はゴムを素材とする）１８を嵌着し、前記シール材６´´が弾性片１８の上面に接触してシール状態（室外すなわち浴室側からの湿気を遮断する）となる。
【００１８】
また、下框２の室外側には水気密片１６を突設し、障子閉塞時に前記下枠５（床面）に接触して補助シール機能を発揮する。
【００１９】
そして、前記閉塞材４は、前記の通り下框２に室内側において重ね合わせることにより縦軸１（吊元側）を中心にして障子Ｄを回動させて障子閉塞操作行なうとき、障子Ｄ（下框２）に先じてサッシ枠Ａ内に収まるようにしてあるが、縦軸１を中心とする障子Ｄ（下框２）と一体的な、該閉塞材４の、見付け方向（障子Ｄ幅方向）の吊元側の一端（シール主材６ａの吊元側の先端）の回動軌跡上には、サッシ枠Ａの縦枠２０に止着して樹脂製ブロック１９を装置し、該ブロック１９の傾斜状の縁部を、前記吊元側のシール材６の組付け部片６ｂの前記先端面の上部に設けた傾斜縁２１が（閉塞材の前記吊元側の端部）圧接する受圧縁１９Ａとしてある。
【００２０】
しかして、障子Ｄの開放時には、障子Ｄの戸先側は室外側（浴室側）に位置し、かつ、コイルスプリング１０が作用して閉塞材３は引き上げられ、傾斜長孔１１の下縁が支軸１２に接する位置に存して、閉塞材３乃至下框２（障子Ｄ）と床面ｆの間には隙間ａが形成され、この隙間ａの存在により障子Ｄは床面ｆと接することなく、その開閉（回動）は円滑に行なわれる。
【００２１】
この開放状態から、障子Ｄを縦軸１（吊元側）を中心に回動させて閉塞操作をすると、障子Ｄはサッシ枠Ａに収まる方向に回動し、この回動に伴って、閉塞材４の障子吊元（縦軸１）側の端縁である傾斜縁２１（シール材の６の一端で構成する）が、ブロック１９の受圧縁１９Ａ（傾斜縁２１のいわば回動軌跡上に位置する）に圧接しつつサッシ枠Ａ内に収まることになり、閉塞材４の傾斜縁２１の障子吊元側の前記受圧縁１９Ａに対する強制的な接触により、受圧縁１９Ａ（吊元側の）が閉塞材４をコイルスプリング１３の付勢に抗して相対的に押圧することになり、従って、傾斜長孔１１は支軸１２に相対的に案内されるようにして全体として降下、すなわち、閉塞材３は降下し、シール材６はサッシ下枠５に装置した弾性片１８（省略して単なる床面代えても良い）に接し、これと同時に、閉塞材４（シール材６）の戸先側の端縁も当該位置に装置した戸先側の縦枠に接して障子閉塞状態となり、隙間ａは自動的に閉塞され、浴室（室外）側に対する水気密状態を得るのである。
【００２２】
また、障子開放状態にすると、閉塞材４の受圧縁１９Ａに対する接触による、コイルスプリング１３の付勢に抗した強制的な降下状態は開放されるため、コイルスプリング１３が機能して閉塞材４を上昇させ、各部は原状に復帰する。
【００２３】
図中、２９はコイルスプリング１３の套装枠で、下框２に着脱可能に取付けて、コイルスプリング１３の露出を防いでいる。
【００２４】
【第二実施例】
第二実施状態の２枚折りたたみサッシは、連結框２２を介して互いに蝶着した一対の障子Ｄａ、Ｄｂを、サッシ枠Ａに縦軸回動自在に組付け、吊元側すなわち、定置側の障子Ｄａの吊元側（縦軸１）を中心にして回動させる一方、移動側の障子Ｄｂを定置側障子Ｄａ側に移動せせつつ、その吊元側で回動させて各戸先側をサッシ枠Ａ（縦枠２０）より係離することによりその開放操作がおこなわれる。
【００２５】
各障子Ｄａ、Ｄｂは、形態的に多少異なるが、符号を同じにして示す通り、第一実施形態の障子Ｄとほぼ同様の閉塞材４を備え、各閉塞材４が障子閉塞時に降下して、障子Ｄａ、Ｄｂ（下框２）下端と前記床面ｆと同面とした下枠５（第一実施形態の弾性片１８）の上端（床面）間の隙間ａを閉塞するようにしたものである。
【００２６】
要するに、第二実施形態は、各障子Ｄａ、Ｄｂに設けて閉塞材４の戸先側を、第一実施形態の戸先側のシール材６´に代わる構造のシール材１１６とした点において相違するだで（片開き対折りたたみの相違があることはいうまでもない）、本発明を適用する上の残余の点は第一実施形態と同様である（戸先側の構造が相違するだけで）。
【００２７】
この第二実施形態の各障子Ｄａ、Ｄｂの閉塞材４の主体枠４の戸先側端部には、第一実施形態と同様にシール材１１６を備え、該シール材１１６は、板厚を先端方向に漸次薄くした組付け部片１１６ｂの下端面にのみ床面に接するシール主材１１６ａを設け、組付け部片１１６ｂの先端面（障子Ｄａ、Ｄｂの召合わせ方向の）に設けた嵌着溝２４にエラストマーより成る仲介片２５の各端部の嵌着して前記シール材１１６同上を互いに接続して構成したものである。
【００２８】
この第二実施形態は、障子Ｄａ、Ｄｂの開放時には、図１１で示すように、戸先側は連結框２２を中心にして折れて重なり合い、戸先側框間に前記仲介片２５が折れ曲げ状になって介在している。
【００２９】
そして、各障子Ｄａ、Ｄｂを閉塞方向に移動（回動）させると、、第一実施形態において説明したと同様にして各障子Ｄａ、Ｄｂの吊元側の組付け部片６ｂがブロック１９の受圧縁１９Ａに接触して閉塞材４、４は、コイルスプリング１３の付勢に抗して降下し、下端側が床面に接して、第一実施形態と同様に隙間ａを閉塞する一方、障子Ｄａ、Ｄｂ間の仲介片２５は、前記の屈曲状態から平板状態となって床面に接して障子Ｄａ、Ｄｂの連結部である連結框２２下方部分の隙間部分を閉塞するのである。
【００３０】
残余の点は第一実施形態と同様なので説明を省略する。
【００３１】
要するに、図９乃至図１２で示す第二実施形態は、閉塞材４の戸先側の端縁を、第一実施形態のものがサッシ枠Ａ側の縦枠に圧接させる構成を採るに対し、一対の障子Ｄａ，Ｄｂで構成した構造の開きサッシである関係上，障子Ｄａ，Ｄｂの吊元側は第一実施形態と同様に構成する一方、戸先側は、閉塞材４，４端縁同士を仲介片２５で連結し、これを床面に接触させる構成を採る点が異なり、このことにより第一実施形態の閉塞材４と形態を違えてあるが、閉塞材４と障子Ｄａ，Ｄｂ（下框３）との動きの関係は、第一実施形態を表す図４や図８と同様にあらわすことができるのである。
【００３２】
なお、本発明は両開き或いは３枚折戸など他の開き障子形式のサッシにも適用できる。
【００３３】
【発明の効果】
本発明は前記の通りの構成であるから、障子閉塞時に閉塞材を自動的に降下させることができるから、サッシ枠といわば見付け方向（サッシ枠内方向）に障子を重ね合わせて水気密状態を得られ、この結果、出入口部に段差のない開き戸を設置することができ、バリアフリー上好適である。
【００３４】
そして、本発明にあっては、コイルスプリング利用した閉塞材の縦動が、該閉塞材に一端を係止したコイルスプリングの伸縮方向によって行われるから、その縦動を円滑に行うことができる。
【００３５】
【図面の簡単な説明】
【図１】部材の配置関係を示す片開きサッシの正面図。
【図２】障子を閉塞した状態の片開きサッシの横断面。
【図３】図２の一部拡大正面図。
【図４】図３の１Ａ−１Ａ線断面図。
【図５】図３の１Ｂ−１Ｂ線断面図。
【図６】障子を開放した状態の片開きサッシの横断面図。
【図７】図６の正面図。
【図８】図７の２Ａ−２Ａ線断面図。
【図９】部材の配置関係を示す折りたたみサッシの正面図。
【図１０】障子を閉塞した状態の折りたたみサッシの横断図面。
【図１１】障子を開放した状態の両開きサッシの横断図面。
【図１２】折りたたみサッシの召合わせ部の正面図。
【符号の説明】
Ａ　　　サッシ枠
Ｄ　　　障子
２　　　下框
４　　　閉塞材
１１　　傾斜長孔
１２　　支軸
１３　　コイルスプリング
１９Ａ　受圧縁
【図１】
2004137773.tif 000003
【図２】
2004137773.tif 000004
【図３】
2004137773.tif 000005
【図４】
2004137773.tif 000006
【図５】
2004137773.tif 000007
【図６】
2004137773.tif 000008
【図７】
2004137773.tif 000009
【図８】
2004137773.tif 000010
【図９】
2004137773.tif 000011
【図１０】
2004137773.tif 000012
【図１１】
2004137773.tif 000013
【図１２】
2004137773.tif 000014